(57)【要約】      （修正有）【課題】液体を収納することが可能な２重容器において、外側の紙容器および内側の内袋とを２重にして組み立てる際に、容易にスパウトを容器外部に向けて露出させて固定することが可能であって、かつ使用後の廃棄においては、外側の紙容器および内側の内袋との分離を容易に行なうことのできる、２重容器を提供することを課題とする。【解決手段】紙容器は、正面の胴部の上部には、フラップＡ、天面を形成するフラップＢを有し、さらにフラップＣを有し、フラップＡには、キャップおよびスパウトを通す穴を有し、左右の胴部にはフラップＤおよびフラップＥを有し、フラップＤおよびフラップＥには、スパウトの下部を左右から支えることが可能な凹みを有し、向こう正面の胴部には、フラップＪ、フラップＫが接続してキャップおよびスパウトを通す穴を有し、キャップおよびスパウトは、外部に突き出して固定されていることを特徴とする、２重容器である。【選択図】図３
2018008735.tif 000002
【特許請求の範囲】
【請求項１】
内側はプラスチックフィルムを基材とする内袋、および外側は紙を基材とする紙容器からなる２重容器であって、
該内袋は、キャップおよびスパウトを有して、キャップで密閉可能に製袋されており、
該紙容器は、天面、および底面、および四角柱の胴部を有しており、その天面と四角柱正面の胴部との間は斜面であって、
四角柱の正面の胴部の上部には、胴部から近い順に、斜面を形成するフラップＡ、天面を形成するフラップＢを有し、さらに天面と向こう正面の胴部の間に差し込み可能な、フラップＣを有し、該フラップＡには、キャップおよびスパウトを通す穴を有し、
四角柱の正面の胴部を挟んで、左右の胴部の上部手前側には斜面を形成するフラップＤおよびフラップＥを有し、該フラップＤおよびフラップＥには、それぞれスパウトの下部を左右から支えることが可能な凹みを有し、
該左右の胴部の上部奥側には、天面を形成するフラップＧおよびフラップＨがそれぞれ接続しており、
向こう正面の胴部の上部には、胴部から近い順に、天面を形成するフラップＪ、および斜面を形成するフラップＫが接続しており、斜面を形成する該フラップＫには、キャップおよびスパウトを通す穴を有し、
該キャップおよびスパウトは、紙容器内側から、斜面を形成するフラップＫの穴、フラップＡの穴の順に通過して、外部に突き出して固定されるよう組み立てられていることを特徴とする、２重容器。
【発明の詳細な説明】
【技術分野】
【０００１】
本発明は２重容器に関するものである。とくに、外側は紙容器からなり、内側にプラスチックフィルムを基材とする内袋を収納してなる、液体容器として用いることのできる、２重容器に関するものである。
【背景技術】
【０００２】
近年の生活様式において、液体の商品の流通、販売の場面で、プラスチックフィルムを用いた液体容器や、液体用紙容器を用いた商品は数多く生産、流通、販売され消費者の手元に届けられている。
【０００３】
たとえばジュース、乳飲料、酒類などの飲料は、メーカーにおいて液体充填装置により、ビンやプラスチックボトル、液体用紙容器などの液体容器に所定量が充填され、商品として送り出される。
【０００４】
なかでも、バッグインボックスと呼ばれる容器があり、これはプラスチックフィルムを用いたバッグと呼ばれる内袋に、液体が充填された後にスパウトが打栓され、ダンボールなどの紙箱に収納された２重容器である。
【０００５】
このような２重容器の場合、外側がダンボールなどの紙容器であるために、直方体、あるいは立方体形状にすることができるために、倉庫などでの在庫効率や、輸送効率の向上を図ることが可能である。
【０００６】
また外側の紙容器によって、耐衝撃性をはじめとする機械的強度の強化や、紫外線などの環境の影響を遮断することが可能である。また外側の紙容器には印刷などの表面加飾が容易であり、さらにプラスチック容器そのままの状態に比べて、外側が紙箱であれば持ち運びに便利であり、ハンドリングも容易である。
【０００７】
また内側はプラスチックフィルムを基材とする内袋であることから、液体の収納に適しており、スパウトの開閉によって必要な量をその都度取り出すことができる。さらに、使用済みとなった２重容器は、廃棄するに際して、紙容器とプラスチックフィルムを基材とする内袋との、分離が容易で、減容が可能であり、環境適合型の液体容器として広く受け入れられるものとなっている。
【０００８】
このような、液体を収納することのできる２重容器の場合、内袋に取り付けられたスパウトは、外側の紙容器から外側に向けて、突き出して露出させることによって、必要なときに取り出すことを、より便利に行なうことができる。
【０００９】
このとき、スパウトは使用前の準備として、外側の紙容器に開口部および開口部に連続するフラップを設けておき、スパウトを開口部から引き出して後、スパウトを紙容器の開口部に該フラップを用いて固定するなどの、使用前の作業を必要とするため、煩雑さが避けられなかった。
【００１０】
あるいは、スパウトをあらかじめ紙容器から外に突き出して露出させておく場合には、スパウトを固定しておくためのプラスチックパーツを必要とした。
【００１１】
特許文献には液体用のバッグインボックスとその使用方法が提案されているが、内袋と外側の紙容器は溶着されているものであり、スパウトを外側に突き出して露出させるには
、カートンの天地両方を一度に組み立てる方法を取っているのであって、簡単な工程ではなく、また溶着をしていることによって、使用後の分離が容易ではないという問題を抱えたものであった。
【先行技術文献】
【特許文献】
【００１２】
【特許文献１】特開昭５８−２０３８５５号公報
【発明の概要】
【発明が解決しようとする課題】
【００１３】
本発明はかかる状況に鑑みてなされたものであり、液体を収納することが可能な２重容器において、外側の紙容器および内側の内袋とを２重にして組み立てる際に、容易にスパウトを容器外部に向けて露出させて固定することが可能であって、かつ使用後の廃棄においては、外側の紙容器および内側の内袋との分離を容易に行なうことのできる、２重容器を提供することを課題とする。
【課題を解決するための手段】
【００１４】
上記の課題を解決するための手段として、請求項１に記載の発明は、
内側はプラスチックフィルムを基材とする内袋、および外側は紙を基材とする紙容器からなる２重容器であって、
該内袋は、キャップおよびスパウトを有して、キャップで密閉可能に製袋されており、
該紙容器は、天面、および底面、および四角柱の胴部を有しており、その天面と四角柱正面の胴部との間は斜面であって、
四角柱の正面の胴部の上部には、胴部から近い順に、斜面を形成するフラップＡ、天面を形成するフラップＢを有し、さらに天面と向こう正面の胴部の間に差し込み可能な、フラップＣを有し、該フラップＡには、キャップおよびスパウトを通す穴を有し、
四角柱の正面の胴部を挟んで、左右の胴部の上部手前側には斜面を形成するフラップＤおよびフラップＥを有し、該フラップＤおよびフラップＥには、それぞれスパウトの下部を左右から支えることが可能な凹みを有し、
該左右の胴部の上部奥側には、天面を形成するフラップＧおよびフラップＨがそれぞれ接続しており、
向こう正面の胴部の上部には、胴部から近い順に、天面を形成するフラップＪ、および斜面を形成するフラップＫが接続しており、斜面を形成する該フラップＫには、キャップおよびスパウトを通す穴を有し、
該キャップおよびスパウトは、紙容器内側から、斜面を形成するフラップＫの穴、フラップＡの穴の順に通過して、外部に突き出して固定されるよう組み立てられていることを特徴とする、２重容器である。
【発明の効果】
【００１５】
本発明によれば、液体を収納することが可能な２重容器において、外側の紙容器および内側の内袋とを２重にして組み立てる際に、容易にスパウトを容器外部に向けて露出させて固定することが可能であって、かつ使用後の廃棄においては、外側の紙容器および内側の内袋との分離を容易に行なうことのできる、２重容器を提供することが可能である。
【図面の簡単な説明】
【００１６】
【図１】図１は本発明に係る２重容器の一実施態様を説明するための、斜視模式図である。
【図２】図２は本発明に係る２重容器の、紙容器の一実施態様を説明するための、斜視模式図である。
【図３】図３は本発明に係る２重容器の、一実施態様において、内袋収納完了の状態を説明するための、斜視模式図である。
【図４】図４は本発明に係る２重容器の、一実施態様において、紙容器組立ての状態を説明するための斜視模式図である。
【図５】図５は本発明に係る２重容器の、一実施態様において、紙容器組立ての状態を説明するための斜視模式図である。
【図６】図６は本発明に係る２重容器の、一実施態様において、紙容器組立ての状態を説明するための斜視模式図である。
【図７】図７は本発明に係る２重容器の、一実施態様において、紙容器組立ての状態を説明するための斜視模式図である。
【図８】図８は本発明に係る２重容器の、一実施態様において、紙容器組立てが完成した状態を説明するための斜視模式図である。
【図９】図９は本発明に係る２重容器の、一実施態様において、フラップの重なりおよびスパウトの支持機構を説明するための、部分断面模式図である。
【発明を実施するための形態】
【００１７】
以下、本発明を図を参照しながら、更に詳しい説明を加える。ただし本発明は、ここに示す例にのみ限定されるものではない。本発明は、請求項によって限定されるものである。
【００１８】
図１は本発明に係る２重容器の一実施態様を説明するための、斜視模式図である。本発明は２重容器（１００）に係るものであって、内側はプラスチックフィルムを基材とする内袋（２０）、および外側は紙を基材とする紙容器（１０）からなる２重容器である。
【００１９】
内袋（２０）は、キャップ（２１）およびスパウト（２２）を有して、キャップ（２１）で密閉可能に製袋されており、紙容器（１０）は、天面（１）、および底面（２）、および四角柱の胴部（１５）を有しており、その天面（１）と四角柱正面の胴部（３）の間は斜面（７）で構成される。
【００２０】
本発明において、内袋（２０）は、キャップ（２１）およびスパウト（２２）を有し、それらは、紙箱の斜面（７）から外部に突き出して固定されるが、このとき四角柱の胴部（１５）の上部に設けられたフラップを組み合わせて組み立てることによって、固定され２重容器（１００）が完成される。
【００２１】
図２は本発明に係る２重容器の、紙容器の一実施態様を説明するための、斜視模式図である。本発明による２重容器（１００）において、紙容器の天面（１）、斜面（７）はいずれも、フラップを折り曲げて紙容器（１０）を組立てることによって、形成することができる。
【００２２】
四角柱の正面の胴部（３）の上部には、胴部から近い順に、フラップ（Ａ）、フラップ（Ｂ）を有し、さらに天面（１）と向こう正面の胴部（６）との間のスリット（１２）に差し込み可能なフラップ（Ｃ）を有し、該フラップ（Ａ）の中央部付近には、キャップおよびスパウトを通す穴（８）を有している。
【００２３】
これらは、フラップを折り曲げて２重容器（１００）の外側の紙容器（１０）を組み立てた際には、図１に示す、２重容器（１００）の外側の天面（１）および斜面（７）を形成する。
【００２４】
すなわち、フラップ（Ａ）は折り曲げてのち、斜面（７）を形成し、フラップ（Ｂ）は、折り曲げてのち、天面（１）を形成する。またフラップ（Ｃ）は、天面（１）と向こう正面の胴部（６）との間の、スリット（１２）に差し込まれ、フラップ全体を固定することができる。
【００２５】
四角柱の正面の胴部（３）を挟んで、左側の胴部（４）の上部手前側にはフラップ（Ｄ）を有し、また右側の胴部（５）の上部手前側には、フラップ（Ｅ）を有し、フラップ（Ｄ）およびフラップ（Ｅ）は、折り曲げたのち、それぞれスパウトの側部および下部を、左右から支えることが可能な凹み（１１）を有している。
【００２６】
これらは、フラップを折り曲げて２重容器（１００）の外側の紙容器（１０）を組み立てた際には、フラップ（Ｄ）およびフラップ（Ｅ）は、いずれも斜面（７）を形成する。
【００２７】
左側の胴部（４）の上部奥側には、フラップ（Ｇ）が設けてあり、右側の胴部（５）の上部奥側には、フラップ（Ｈ）がそれぞれ設けてある。
【００２８】
これらのフラップは、内側に向けて折り曲げて、２重容器（１００）外側の紙容器（１０）を組み立てた際には、フラップ（Ｇ）、およびフラップ（Ｈ）はいずれも天面（１）を形成する。
【００２９】
向こう正面の胴部（６）の上部には、胴部から近い順に、フラップ（Ｊ）、およびフラップ（Ｋ）が接続しており、フラップ（Ｋ）の中央部付近には、キャップおよびスパウトを通す穴（９）を有している。
【００３０】
これらは、フラップを折り曲げて、２重容器（１００）外側の紙容器（１０）を組み立てた際には、フラップ（Ｊ）は天面（１）を形成し、フラップ（Ｋ）は斜面（７）を形成する。
【００３１】
図３は本発明に係る２重容器の、一実施態様において、内袋収納完了の状態を説明するための、斜視模式図である。
【００３２】
ここに示す図３において、２重容器（１００）の内袋（２０）には、内容物が充填されており、スパウト（２２）の先端のキャップ（２１）で密閉されている。すなわち、内袋（２０）は、スパウト（２２）先端のキャップ（２１）で密閉可能に製袋されており、また内容物を取り出す際には、その都度開栓することができる。
【００３３】
本発明における２重容器（１００）は、内袋（２０）を装填された紙容器（１０）のフラップを、内側に折り込むこと、およびフラップ（Ａ）に設けられた穴（８）およびフラップ（Ｋ）に設けられた穴（７）に、キャップ（２１）およびスパウト（２２）を通過させて固定して構成されるものである。
【００３４】
図４は本発明に係る２重容器の、一実施態様において、紙容器組立ての状態を説明するための斜視模式図である。
【００３５】
フラップの折り曲げの順序については、必ずしも限定を設けるものではないが、たとえば、図４に示すフラップ（Ｇ）、およびフラップ（Ｈ）の折り曲げによって、天面（１）を形成することができる。
【００３６】
すなわち、左側の胴部（４）の上部奥側に接続するフラップ（Ｇ）、および右側の胴部（５）の上部奥側に接続するフラップ（Ｈ）は、紙容器（１０）胴部内側に向けて折り込まれる。これらは重なり合って天面（１）を形成する。ここでフラップ（Ｇ）とフラップ（Ｈ）の折りまげの状態は、その上下については特段の制限をするものではなく、また重なり部分はなくても良い。
【００３７】
図５は本発明に係る２重容器の、一実施態様において、紙容器組立ての状態を説明するための斜視模式図である。
【００３８】
フラップの折り曲げの順序については、必ずしも限定を設けるものではないが、たとえば、フラップ（Ｇ）、フラップ（Ｈ）の折り曲げに次いで、図５に示すフラップ（Ｊ）、およびフラップ（Ｋ）の折り曲げによって、天面（１）および斜面（７）を形成することができる。
【００３９】
すなわち、向こう正面の胴部（６）の上部には、胴部から近い順に、天面を形成するフラップ（Ｊ）、および斜面を形成するフラップ（Ｋ）が接続しており、斜面を形成するフラップ（Ｋ）には、フラップの中央部付近にキャップおよびスパウトを通す穴（９）を有している。
【００４０】
フラップ（Ｊ）は図中の小さい矢印方向に折り曲げて、天面（１）を形成することができる。また、フラップ（Ｋ）もまた、図中の大きい矢印方向に折り曲げて、斜面（７）とすることができる。
【００４１】
このフラップ（Ｋ）を折り曲げて、斜面（７）を形成する際には、穴（９）にキャップ（２１）およびスパウト（２２）を通過させて折り曲げ、スパウト（２２）を固定することができる。
【００４２】
穴（９）はフラップ（Ｋ）を折り曲げた際に、スパウト（２２）の円筒部を穴（９）の周縁部で上から押さえて固定することのできる位置に設けることができ、この場合にはスパウト（２２）の上方からの固定を、より適切に行なうことができる。
【００４３】
図６は本発明に係る２重容器の、一実施態様において、紙容器組立ての状態を説明するための斜視模式図である。
【００４４】
フラップの折り曲げの順序については、必ずしも限定を設けるものではないが、たとえば、図５に示すフラップ（Ｄ）、およびフラップ（Ｅ）の折り曲げによって、斜面（７）を形成することができる。
【００４５】
四角柱の正面の胴部（３）を挟んで、左側の胴部（４）の上部手前側に接続するフラップ（Ｄ）および、右側の胴部（５）の上部手前側に接続するフラップ（Ｅ）を斜面中央に向けて、図中の矢印方向に折り曲げて斜面（７）を形成するとともに、斜面（７）から外に向けて突き出すスパウト（２２）の円筒部を下から支え、また両側横からも支えることができる。
【００４６】
これはフラップ（Ｄ）、およびフラップ（Ｅ）がそれぞれスパウト（２２）の下部を左右から支えることが可能な、凹み（１１）を、それぞれに有しているために可能になる。凹み（１１）はスパウト（２２）の円筒部の下部、および両側横部分に接触するように設けられる。
【００４７】
すなわち、スパウト（２２）の下部に接触する部分ではスパウト（２２）を下から固定することの効果があり、スパウト（２２）の横部分に接触する部分では、両側横方向から固定することに効果的である。
【００４８】
図７は本発明に係る２重容器の、一実施態様において、紙容器組立ての状態を説明するための斜視模式図である。
【００４９】
フラップの折り曲げの順序については、必ずしも限定を設けるものではないが、たとえば、他のフラップをすべて折り曲げてのち、図７に示すフラップ（Ａ）、の折り曲げによって、斜面（７）を形成することができ、またフラップ（Ｂ）の折り曲げによって天面（１）を形成することができる。
【００５０】
またフラップ（Ｂ）に連続するフラップ（Ｃ）を、天面（１）と向こう正面の胴部（６）の間のスリット（１２）に差し込むことによって、天面（１）および斜面（７）を形成するフラップ全体を上から抑え込んで固定することに効果的である。
【００５１】
すなわち、四角柱の正面の胴部（３）の上部に接続する、斜面（７）を形成するフラップ（Ａ）、および天面（１）を形成するフラップ（Ｂ）を図中の矢印方向に折り曲げて、斜面（７）および天面（１）の最外層側を形成することができる。このとき、フラップ（Ａ）の中央付近の穴（８）にキャップ（２１）、およびスパウト（２２）を通過させて、折り曲げることができる。
【００５２】
このとき、穴（８）はフラップ（Ａ）を折り曲げた際に、スパウト（２２）の円筒部を穴（９）の周縁部で下から支えて固定することのできる位置に設けることができ、この場合にはスパウト（２２）の下方からの固定を、より適切に行なうことができる。
【００５３】
このようにして、それぞれのフラップを折り曲げて２重容器（１００）の外側の紙容器（１０）を組み立てた際には、フラップ（Ａ）は斜面（７）を形成し、フラップ（Ｂ）は天面（１）のそれぞれ最外面を形成して、キャップ（２１）およびスパウト（２２）を固定することができる。
【００５４】
このフラップ（Ａ）およびフラップ（Ｂ）による、斜面（７）および天面（１）の被覆は、先に折りこんだ、それぞれのフラップの固定に寄与するとともに、全体として斜面（７）および天面（１）の表面が平滑になるため、２重容器（１００）の外観面でも好ましい。
【００５５】
図８は本発明に係る２重容器の、一実施態様において、紙容器組立てが完成した状態を説明するための斜視模式図である。
【００５６】
このように本発明による２重容器（１００）は、内容物充填ののち、内袋の収納紙容器のフラップの折り曲げとキャップ（２１）、およびスパウト（２２）の固定がなされ、内容物のキャップ（２１）からの繰り返しの取出しが可能な容器である。
【００５７】
図９は本発明に係る２重容器の、一実施態様において、フラップの重なり、およびスパウトの支持機構を説明するための、部分断面模式図である。
【００５８】
２重容器（１００）のうち、内袋（２０）には、内容物（１３）が充填され、スパウト（２２）が接続している。スパウト（２２）は、プラスチック成型品を用いることができ、プラスチックフィルムを基材とする、内袋（２０）本体と接着されている。接着にはたとえば熱による溶着などの方法を用いることができる。
【００５９】
接着は、具体的には図９に示すように、スパウト（２２）にフランジ（１４）を設けておき、内袋（２０）の内容物（１３）側からフランジ（１４）と内袋（２０）本体を溶着する方法をとることができる。
【００６０】
スパウト（２２）は、複数のフラップが重なって形成される斜面（７）を通過して、２
重容器（１００）外部に向けて突き出しており、その先端にはキャップ（２１）が嵌合され内袋（２０）を密閉状態とすることが可能である。
【００６１】
キャップ（２１）は、図９に示す例においては、スクリュータイプのキャップを想定しているが、それ以外にもスナップオンタイプ、コックタイプ、高粘度コックタイプ、ヒンジタイプ、ディスペンサータイプ、などを採用することができ、内容物（１３）と２重容器（１００）の使用目的に合わせて、適宜選択することができる。
【００６２】
斜面（７）および天面（１）を構成するフラップの組立について、図９に加えて、図２を合わせて参照しながら、更に説明を加える。天面（１）は３層のフラップから構成される。すなわち２重容器（１００）の、天面（１）の最内層は、フラップ（Ｈ）またはフラップ（Ｇ）が構成する。
【００６３】
これらのフラップは、左側の胴部（４）および右側の胴部（５）の上部奥側に連続するフラップである。次にフラップ（Ｊ）が天面を構成する。これは向こう正面の胴部（６）の上部に連続するフラップである。最外層として、フラップ（Ｂ）が天面（１）を覆って構成される。これは正面の胴部（３）の上部に、フラップ（Ａ）を介して接続するフラップである。
【００６４】
斜面（７）は、３層のフラップから構成される。すなわち２重容器（１００）の斜面最内層は、フラップ（Ｋ）が斜面を構成する。これは天面（１）を構成するフラップ（Ｊ）に接続するフラップであって、中央部付近に穴（９）を有する。
【００６５】
穴（９）は円形、または楕円形とすることができ、この穴（９）を通過してスパウト（２２）およびキャップ（２１）は、２重容器（１００）外側に向かって突き出している。穴（９）はその上部の周縁が、スパウト（２２）の円筒部の上部に接触可能な位置に設けられる。
【００６６】
フラップ（Ｋ）に次いで、フラップ（Ｄ）、およびフラップ（Ｅ）が、左右両側から斜面（７）を構成する。これらは、左側の胴部（４）、および右側の胴部（５）の上部手前側に接続するフラップである。
【００６７】
ここでキャップ（２１）、およびスパウト（２２）の固定は、フラップ（Ｄ）、およびフラップ（Ｅ）には、それぞれスパウト（２２）の下部を左右から支えることが可能な凹みを有しているために可能になる。凹みはスパウト（２２）の円筒部の下部および横部分に接触するように設けられる。
【００６８】
斜面（７）の最外層は、フラップ（Ａ）によって構成され、これは、正面の胴部（３）の上部に接続するフラップである。フラップ（Ａ）の中央部付近には穴（８）が設けられており、穴（８）は円形または楕円形とすることができる。
【００６９】
この穴（８）を通過してスパウト（２２）およびキャップ（２１）は、２重容器（１００）外側に向かって突き出している。穴（８）はその下部の周縁が、スパウト（２２）の円筒部に接触可能な位置に設けられ、スパウト（２２）の円筒部の下部を支え固定することができる。
【００７０】
このように、斜面（７）から２重容器（１００）外側に突き出しているスパウト（２２）およびキャップ（２１）は、斜面（７）において、３層のフラップによって固定することができる。
【００７１】
すなわち、フラップ（Ｋ）によってスパウト（２２）の円筒部を上方から固定され、フラップ（Ｅ）およびフラップ（Ｄ）によって、スパウト（２２）の円筒部を下から支えられるとともに、スパウト（２２）円筒部を両横側面から固定され、フラップ（Ａ）によって、スパウト（２２）円筒部の下方から支えられて固定される。
【００７２】
このように、本発明によれば、液体を収納することが可能な２重容器において、外側の紙容器および内側の内袋とを２重にして組み立てる際に、容易にスパウトを容器外部に向けて露出させて固定することが可能である。
【００７３】
また、本発明による２重容器は、内袋と紙容器とは、接着あるいは溶着などによって連続していないため使用後の廃棄においては、外側の紙容器、および内側の内袋との分離が容易であり、環境適合型である。
【００７４】
また、キャップおよびスパウトを固定するための、別部材を用いていないので、価格についても安価であり製造工程も少なくてよい。また組立もフラップの折り曲げを中心とした方法であるため、簡素で効率的である。本発明によれば、このような利点を有する２重容器を提供することが可能である。
【実施例】
【００７５】
以下実施例を用いて、本発明による２重容器について、更に詳細、かつ具体的な説明を加える。ただし本発明はここに示す例にのみ限定されるものではない。本発明は請求項によって限定されるものである。
【００７６】
（評価試料）
図１に示した形状の２重容器を作成した。作成した試料の詳細は図１〜図９に、一実施態様として示したものである。
【００７７】
（内袋）
プラスチックフィルムを基材とする内袋であって、スパウトを有し、螺合式のキャップで密閉可能な内袋を用いた。内容量は１．８リットルとした。
【００７８】
（紙容器）
上記内袋を収納可能に外側の紙容器を作成し、組み立てて２重容器とした。
【００７９】
すなわち、２重容器の外側の紙容器の形状は、天面、および底面、および四角柱の胴部を有しており、その天面と四角柱正面の胴部の間は斜面であって、四角柱の正面の胴部の上部には、胴部から近い順に、フラップ（Ａ）、天面を形成するフラップ（Ｂ）を有している。
【００８０】
さらに天面と、向こう正面の胴部との間に差し込み可能な、フラップ（Ｃ）を有し、フラップ（Ａ）には、キャップおよびスパウトを通す穴を有している。
【００８１】
四角柱の正面の胴部を挟んで、左右の胴部の上部手前側にはフラップ（Ｄ）およびフラップ（Ｅ）を有し、フラップ（Ｄ）およびフラップ（Ｅ）には、それぞれスパウトの下部を左右から支えることが可能な凹みを有している。
【００８２】
左右の胴部の上部奥側には、フラップ（Ｇ）およびフラップ（Ｈ）がそれぞれ接続しており、向こう正面の胴部の上部には、胴部から近い順に、フラップ（Ｊ）、およびフラップ（Ｋ）が接続しており、フラップ（Ｋ）には、キャップおよびスパウトを通す穴を有している。
【００８３】
これらのフラップは、はじめにフラップ（Ｇ）およびフラップ（Ｈ）を折り曲げて、天面を形成した。つづいてフラップ（Ｊ）およびフラップ（Ｋ）を折り曲げて天面および斜面を形成するとともに、スパウトを上部から固定した。さらにフラップ（Ｄ）およびフラップ（Ｅ）を折り曲げて斜面を形成するとともに、スパウトの下部および両側を固定した。
【００８４】
最後にフラップ（Ａ）およびフラップ（Ｂ）を折り曲げて斜面および天面の最外層を形成するとともに、フラップ（Ｃ）を天面と向こう正面の胴部との間に設けたスリットに挿入してフラップ全体を抑えて固定した。
【００８５】
上記フラップの折り曲げ、組立により、２重容器の内袋のキャップ、スパウトを、外側の紙容器の斜面から外に突き出して固定した。
【００８６】
（試験および評価方法）
（１）２重容器の内袋の内容量は１．８リットルであって、内容物の液体を定量の１．８リットル充填した。
（２）２リットルづつの内容物取り出しを、２重容器が空になるまで行い、それを２回繰り返した。
（３）すなわち計１８回の、キャップの開閉および内容物の取り出しを行なったのち、２重容器の、キャップおよびスパウト部分の異常の有無を確認した。
【００８７】
（結果）
スパウトが外れるなど、キャップおよびスパウト部の異常は見られなかった。
【００８８】
このように、本発明によれば、液体を収納することが可能な２重容器において、外側の紙容器および内側の内袋とを２重にして組み立てる際に、容易にスパウトを容器外部に向けて露出させて固定することが可能であって、かつ使用後の廃棄においては、外側の紙容器および内側の内袋との分離を容易に行なうことのできる、２重容器を提供することが可能である。
【符号の説明】
【００８９】
１・・・天面
２・・・底面
３・・・正面の胴部
４・・・左側の胴部
５・・・右側の胴部
６・・・向こう正面の胴部
７・・・斜面
８・・・穴
９・・・穴
１０・・・紙容器
１１・・・凹み
１２・・・スリット
１３・・・内容物
１４・・・フランジ
１５・・・四角柱の胴部
２０・・・内袋
２１・・・キャップ
２２・・・スパウト
１００・・・２重容器
Ａ・・・フラップ
Ｂ・・・フラップ
Ｃ・・・フラップ
Ｄ・・・フラップ
Ｅ・・・フラップ
Ｇ・・・フラップ
Ｈ・・・フラップ
Ｊ・・・フラップ
Ｋ・・・フラップ
【図１】
2018008735.tif 000003
【図２】
2018008735.tif 000004
【図３】
2018008735.tif 000005
【図４】
2018008735.tif 000006
【図５】
2018008735.tif 000007
【図６】
2018008735.tif 000008
【図７】
2018008735.tif 000009
【図８】
2018008735.tif 000010
【図９】
2018008735.tif 000011